(57)【要約】【課題】  汎用性および転用性が高くコストダウンが図れるフロアクライミング方法およびその装置を提供することである。【解決手段】  フロアクライミング方法は、クライミングクレーンの盛り替え時において、４本の柱４における梁５との接合部のすぐ上の箇所に、柱４を抱き込むようにして抱込装置２を設置するとともに、これらの抱込装置２をジャッキ２３で各梁５に支持させた後、これらの抱込装置２間に架設した仮設受梁２６に、上階の梁に設置した昇降装置でマストをせり上げて基礎架台を設置することである。【選択図】図１
2005280928.tif 000002
【特許請求の範囲】
【請求項１】
クライミングクレーンの盛り替え時において、４本の柱における梁との接合部のすぐ上の箇所に、柱を抱き込むようにして抱込装置を設置するとともに、これらの抱込装置をジャッキで各梁に支持させた後、これらの抱込装置間に架設した仮設受梁に、上階の梁に設置した昇降装置でマストをせり上げて基礎架台を設置することを特徴とするフロアクライミング方法。
【請求項２】
柱を抱き込むようにして４本の柱に設置される４機の抱込装置と、これらの抱込装置間に架設された仮設受梁とからなり、前記抱込装置は複数の圧着装置がリンクで接続されて構成され、該圧着装置が仮受材と、この仮受材に設置された圧着板と、該圧着板を柱に圧着させるシリンダーとからなることを特徴とするフロアクライミング装置。
【発明の詳細な説明】
【技術分野】
【０００１】
本発明はフロアクライミング方法およびその装置に関するものである。
【背景技術】
【０００２】
クライミングクレーンのクライミング方法は、建物の立ち上がりにともなって、建物の梁を反力として、クライミングクレーン全体を上層階に盛り替える、いわゆるフロアクライミング方法と、マストを順次継ぎ足しながらクレーン全体をせり上げてゆく、いわゆるマストクライミング方法とがある。上記のフロアクライミング方法としては、図６に示すように、ＣＦＴ柱２５に仮設受梁２６を架設し、この仮設受梁２６に揚重機２７を設置する方法がある。また他のフロアクライミング方法として、例えば特開２０００−３２７２６５号公報の発明がある。
【特許文献１】特開２０００−３２７２６５号公報
【発明の開示】
【発明が解決しようとする課題】
【０００３】
しかし、上記のフロアクライミング方法は、ＣＦＴ柱を構築するため、手間およびコストがかかり汎用性に乏しいという問題があった。
【０００４】
本発明は、上記のような問題に鑑みてなされたものであり、その目的は、汎用性および転用性が高くコストダウンが図れるフロアクライミング方法およびその装置を提供することである。
【課題を解決するための手段】
【０００５】
以上の課題を解決するためのフロアクライミング方法は、クライミングクレーンの盛り替え時において、４本の柱における梁との接合部のすぐ上の箇所に、柱を抱き込むようにして抱込装置を設置するとともに、これらの抱込装置をジャッキで各梁に支持させた後、これらの抱込装置間に架設した仮設受梁に、上階の梁に設置した昇降装置でマストをせり上げて基礎架台を設置することを特徴とする。
またフロアクライミング装置は、柱を抱き込むようにして設置される４機の抱込装置と、これらの抱込装置間に架設された仮設受梁とからなり、前記抱込装置は複数の圧着装置がリンクで接続されて構成され、該圧着装置が仮受材と、この仮受材に設置された圧着板と、該圧着板を柱に圧着させるシリンダーとからなることを特徴とする。
【発明の効果】
【０００６】
フロアクライミング装置が柱を抱き込む抱込装置で形成されているため、種々の形状の柱に対応することができる。また柱および梁で負担する荷重は４面または４本のそれぞれにおいて均等であるため、本設躯体への負担を軽くすることができるとともに、偏荷重が入らないため、力の流れが明快で躯体への悪影響が非常に少ない。また汎用性および転用性が非常に高いため、大幅なコストダウンを図ることができる。
【発明を実施するための最良の形態】
【０００７】
以下、本発明のフロアクライミング方法およびフロアクライミング装置を図面に基づいて説明する。はじめにフロアクライミング装置（以下、クライミング装置という）について説明し、その後にフロアクライミング方法（以下、クライミング方法という）について説明するが、各実施の形態において、同じ構成は同じ符号を使って説明し、異なった構成にのみ異なった符号を付して説明する。
【０００８】
図１は、第１の実施の形態のクライミング装置１である。このクライミング装置１は、隣接する４本の柱に設置される４機の抱込装置２と、これらの抱込装置２を相互に接続する仮設受梁３とから構成されている。よって、このクライミング装置１が柱４に設置されると、図２に示すように、柱４と梁５で囲まれた空間に基礎架台の設置用架台６が形成される。
【０００９】
この抱込装置２は４つの圧着装置７がリンク８で接続されて環状に形成され、このリンク８を取り外すことにより柱４への抱き込み、または柱４からの取り外しができるようになっている。
【００１０】
この圧着装置７は仮受材９と、この仮受材９に設置された上下の圧着板１０と、該圧着板１０を柱４に圧着させる両方向シリンダー１１とから構成されている。また仮受材９はリンク８で相互に接合され、上下の固定プレート１２に圧着板１０が水平シリンダー１３を介して設置されている。
【００１１】
この圧着板１０の裏面にはガイド１４が設置され、このガイド１４にスライダー１５が滑走自在に当接され、このスライダー１５に上下に伸び縮みする両方向シリンダー１１の先端部が接合されている。また上記ガイド１４のうちの上側のガイドには下側から上側に向かって外側に漸次傾斜する傾斜面１６が、下側のガイドにはこれとは反対の傾斜面１６がそれぞれ設けられている。
【００１２】
よって、両方向シリンダー１１の伸び縮みによりスライダー１５が上下動すると、ガイドの傾斜面１６によって上下の圧着板１０が前方に移動して柱４の側面に圧着される。この圧着板１０の柱４への圧着によって抱込装置２が柱４を抱き込んだ状態で設置される。
【００１３】
図５は、第２の実施の形態のクライミング装置１７である。このクライミング装置１７も、隣接する４本の柱４に設置される４機の抱込装置２と、これらの抱込装置２を相互に接続する仮設受梁３とから構成されている。よって、このクライミング装置１７も柱４に設置されると、図に示すように、柱４と梁５で囲まれた空間に基礎架台の設置用架台６が形成される。
【００１４】
この抱込装置２は半分に分割可能なリンク８が接続されて環状になり、このリンク８を分割することにより柱４への抱き込み、または柱４からの取り外しができるようになっている。
【００１５】
このリンク８の内側には柱４の側面に圧着される４つの圧着装置１８が設置されている。この圧着装置１８は圧着材１９の間に上下のくさび材２０がスライド自在に嵌め込まれて構成され、この上下のくさび材２０にはジャッキ２１と、ＰＣ鋼棒２２とが設けられている。
【００１６】
よって、このジャッキ２１によってくさび材２０を内側に引っ張り、ＰＣ鋼棒２２を締め付けて圧着力を維持すると、圧着材１９が柱４の側面に圧着されて抱込装置２が柱４を抱き込んだ状態で設置される。また、これとは反対に、ＰＣ鋼棒２２を緩めると共に、ジャッキ２１によるくさび材２０の内側への引っ張りを緩めると、圧着材１９の柱４への圧着されが緩んで、柱４への設置が開放される。
【００１７】
次に、第１の実施の形態のクライミング装置１を使用したクライミング方法について説明する。はじめに、抱込装置２と梁５との間に手動ジャッキ２３を挿入し、これで抱込装置２を支持する。次に、クレーンで抱込装置２を吊り上げ、一つのリンク８を取り外した箇所から梁接合部のすぐ上の柱４に抱き込ませた後、取り外したリンク８を接合する。次に、４本の両方向シリンダー１１を伸ばしてスライダー１５を上下に移動させると、ガイドの傾斜面１６により、４箇所の圧着板（上下二つ）１０が前方に移動して、柱４側面にそれぞれ圧着される。これが１本の柱に１個の抱込装置２を設置する方法である。
【００１８】
このような方法で抱込装置２を４本の柱４に順次固定した後、各抱込装置２間に仮設受梁３が接続されてクライミング装置１が完成すると、図２に示すように、柱４と梁５で囲まれた空間に基礎架台の設置用架台６が形成される。そして、ここでのクレーンの設置作業が完了した後、このクライミング装置１を解体して、上の箇所への設置を行う。
【図面の簡単な説明】
【００１９】
【図１】第１の実施の形態のクライミング装置の正面図である。
【図２】第１の実施の形態のクライミング装置の平面図である。
【図３】抱込装置の平面図である。
【図４】（１）は抱込装置の断面図、（２）は圧着装置の斜視図である。
【図５】（１）は第２の実施の形態のクライミング装置の正面図、（２）は同断面図である。
【図６】従来のクライミング装置の正面図である。
【符号の説明】
【００２０】
１、１７  クライミング装置
２  抱込装置
３、２６  仮設受梁
４、２５  柱
５  梁
６  設置用架台
７、１８  圧着装置
８  リンク
９  仮受材
１０  圧着板
１１  両方向シリンダー
１２  固定プレート
１３  水平シリンダー
１４  ガイド
１５  スライダー
１６  傾斜面
１９  圧着材
２０  くさび材
２１  ジャッキ
２２  ＰＣ鋼棒
２３  手動ジャッキ
２７  揚重機
【図１】
2005280928.tif 000003
【図２】
2005280928.tif 000004
【図３】
2005280928.tif 000005
【図４】
2005280928.tif 000006
【図５】
2005280928.tif 000007
【図６】
2005280928.tif 000008